(57)【特許請求の範囲】
【請求項１】
表示面が面状の表示部と、この表示部の側方に前記表示面に対して奥側に向かって所定角度傾斜した側方フードとを具備したことを特徴とする着雪防止表示装置。
【請求項２】
前記角度は、２０〜７０度であることを特徴とする請求項１記載の着雪防止表示装置。
【請求項３】
前記表示部の上方には、前記表示面に対して前方に傾斜した上方フードが設けられていることを特徴とする請求項１又は２記載の着雪防止表示装置。
【請求項４】
面状の表示部の側面に設けられ、表示部の表示面に対して奥側に向かって所定角度傾斜していることを特徴とする表示装置用着雪防止フード。
【請求項５】
前記角度は、２０〜７０度であることを特徴とする請求項４記載の表示装置用着雪防止フード。
【発明の詳細な説明】
【０００１】
【発明の属する技術分野】
本発明は、自動車道路等の表示装置であって、降雪地帯に設置される着雪防止表示装置と、表示装置に取り付けられる表示装置用着雪防止フードとに関する。
【０００２】
【従来の技術】
降雪地帯における自動車道路等の表示装置は、表示面への着雪を防止するために、表示装置の上部に着雪防止用の上方フードを設けたり、表示装置を振動させる振動装置を設けたり、表示面の裏面又は内部にヒータ等の加熱装置を設けたりしている。
【０００３】
この表示面への着雪は、吹き付ける風の流速がほぼ０となるか停滞するよどみ点を中心に始まる。このよどみ点は、一様な風が平板に向かって吹いた時、平板の中央部に形成される。このよどみ点では流速は０であるが、圧力は最大となる。
【０００４】
【発明が解決しようとする課題】
しかしながら、これらの表示装置には以下のような問題点がある。
まず、着雪防止用の上方フードを上部に設けた表示装置は、表示面のみかけ上の面積を拡大し、よどみ点を上側へと移行させる。しかし、この上方フードは、正面方向から吹き付ける雪に対しては有効であるが、横方向から吹き付ける雪に対しては効果を発揮しない。また、振動装置では、振動装置が作動していない間に表示装置に付着した雪塊が振動装置の次の動作によって落下するという危険性がある。さらに、加熱装置で溶かされたものが表示装置を滑り落ちるまでの間に再度凍結することがある。
【０００５】
本発明は上記事情に鑑みて創案されたものであって、斜め方向から吹き付ける雪の着雪を防止することができる着雪防止表示装置と、表示装置用着雪防止フードとを提供することを目的としている。
【０００６】
【課題を解決するための手段】
本発明に係る着雪防止表示装置は、表示面が面状の表示部と、この表示部の側方に前記表示面に対して奥側に向かって所定角度傾斜した側方フードと、前記表示面に対して前方に傾斜した上方フードとが設けられている。
【０００７】
【発明の実施の形態】
図１は本発明の実施の形態に係る着雪防止表示装置の概略的斜視図、図２は本発明の実施の形態に係る着雪防止表示装置の作用を説明する概略的平面図、図３は発明の実施の形態に係る着雪防止表示装置の作用を説明する概略的側面図、図４は本発明の他の実施の形態に係る着雪防止表示装置の概略的側面図、図５は本発明のその他の実施の形態に係る着雪防止表示装置の概略的側面図である。
【０００８】
本発明の実施の形態に係る着雪防止表示装置は、表示面１１０が面状の表示部１００と、この表示部１００の左右の側方に前記表示面１１０に対して奥側に向かって４５度傾斜した側方フード１２０と、前記表示部１００の上部に上部フード１３０とを有している。
【０００９】
この着雪防止表示装置は、降雪地帯、例えば北海道、東北、北陸地方等に設置されるものであって、自動車道路の行き先案内板、各種の情報表示装置として使用される。
【００１０】
前記表示部１００は、表示面１１０に例えば発光ダイオードランプをマトリクス状に多数個並べたものであって、文字、記号、図形等を任意に表示することができるようになっている。かかる表示部１００は、平べったい直方体状であり、最大の面積を有する面が表示面１１０となっている。この表示部１００の内部には、前記発光ダイオードランプを駆動するドライバ回路や、電源回路等の必要な機器が収納されている。
【００１１】
かかる表示部１００の表示面１１０の上方には、若干下向きになった、すなわち表示面１１０に対して前方に傾斜した上方フード１３０が設けられている。この上方フード１３０は、表示部１００に対して真正面から吹き付ける雪Ｓ５に対するものである。また、この表示面１１０の左右の側方には、奥側に向かって傾斜した側方フード１２０が設けられている。この側方フード１２０は、表示部１００に対して斜め方向、横方向から吹き付ける雪Ｓ１、Ｓ４に対するものである。
【００１２】
上方フード１３０は、表示面１１０の見かけ上の面積を増やし、着雪が始まるよどみ点を上側へと移行させる。よどみ点が上方フード１３０上にまで達したならば、真正面から吹き付ける雪Ｓ５の着雪は上方フード１３０から開始される。
【００１３】
また、側方フード１２０は、斜め方向から吹き付ける雪に対して表示面１１０の見かけ上の面積を増やす。すなわち、左右両側に側方フード１２０が設けられていても、図２（Ｂ）に示すように、例えば斜め右方向から吹き付ける雪からすると、一対の側方フード１２０は奥側に向かって傾斜しているので、側方フード１２０がない場合と比較して表示面１１０が右側に大きくなったに過ぎないのである。このため、斜め右方向から吹き付ける雪Ｓ４によるよどみ点は右側の側方フード１２０へと移行する。このため、斜め右方向から吹き付ける雪Ｓ４による着雪は右側の側方フード１２０から開始される。なお、斜め左方向から吹き付ける雪の場合も同様である。
【００１４】
前記表示部１００は、ポール２００によって自動車道路の車線の上側に設置されている。
【００１５】
このように構成された着雪防止表示装置の作用を説明する。
例えば、図２（Ａ）に示すように、表示部１００に対して真横方向から吹き付ける雪Ｓ１は、側方フード１２０に衝突すると、ほとんどが側方フード１２０に沿って表示部１００の表面側へと導かれる。このため、よどみ点Ｐは側方フード１２０の後端側に形成されるので、雪Ｓ１はほとんど表示面１１０には付着しない。また、表示部１００の表側を流れる雪Ｓ２と、表示部１００の裏側を流れる雪Ｓ３と、すなわち側方フード１２０に衝突しない雪Ｓ２、Ｓ３は、表示面１１０には衝突しないので、表示面１１０に付着しない。
【００１６】
一方、図２（Ｂ）に示すように、表示部１００に対して斜め右方向から吹き付ける雪Ｓ４からすると、側方フード１２０がない場合と比較して表示面１１０（図２（Ｂ）では破線で示した部分）が右側の側方フード１２０の分だけ右側に大きくなったことに等しい。このため、斜め右方向から吹き付ける雪Ｓ４によるよどみ点Ｐは右側の側方フード１２０へと移行する。このため、斜め右方向から吹き付ける雪Ｓ４による  着雪は右側の側方フード１２０から開始される。
【００１７】
ここで、側方フード１２０がない場合を考えると、表示部１００の縁部に衝突した雪Ｓ４は、大部分が表示部１００の表面に沿って流れることになる。このため、表示部１００の表面によどみ点が生じ、表示部１００への着雪が生じるのである。しかし、側方フード１２０を設けることによって、よどみ点Ｐは側方フード１２０あるいは表示面１１０の右縁部に形成されるので、表示面１１０への着雪は減少する。
【００１８】
また、図３に示すように、雪Ｓ５が、表示部１００、すなわち表示面１１０に真正面から吹き付けると、雪Ｓ５は、上方フード１３０に沿って流れる流れと、表示面１００に沿って流れる流れとに分岐する。表面側１００に沿って流れる方が多いため、表示面１００への着雪は減少する。
【００１９】
なお、このように構成した着雪防止表示装置の上方フード１３０に、図４に示すように、振動を与える振動装置１４０を設けることも可能である。この振動装置１４０は、図４に示すように、上方フード１３０の後ろ側に設けられたアングル１４１と、このアングル１４１に設けられたモータ１４２と、このモータ１４２で回転駆動される回転体１４３とを有しており、前記回転体１４３に形成された突起部１４４を上方フード１３０に衝突させることで振動を与えるようになっている。これにより、上方フード１３０に雪が付着しないようにするのである。この振動装置１４０は、側方フード１２０や表示部１００に設けることも可能である。
【００２０】
また、側方フード１２０の表示部１００に対する角度は４５度であるとしたが、２０〜７０度の範囲内であればよいことが実験で確認されている。
【００２１】
さらに、上述した実施の形態では、表示部１００は、発光ダイオードランプをマトリクス状に多数個並べたものであるとしたが、単に文字等をペンキ等で表示しているものや、動画を表示できるようにしたものであってもよいことはいうまでもない。
【００２２】
また、上述した実施の形態では、側方フード１２０は、表示部１００の側方に前記表示面１１０に対して奥側に向かって所定角度傾斜したものであるとしたが、図５に示すように、表示部１００の側方に前記表示面１１０に対して前側に向かって所定角度傾斜したものであってもよい。この場合も、側方フード１２０の表示部１００の表示面１１０に対する角度は、２０〜７０度の範囲内であればよいことが実験で確認されている。
【００２３】
【発明の効果】
本発明に係る着雪防止表示装置は、表示面が面状の表示部と、この表示部の側方に前記表示面に対して奥側に向かって所定角度傾斜した側方フードとを備えている。
【００２４】
このため、斜め方向から吹き付ける雪に対しても、着雪が始まる点であるよどみ点を側方フード上に形成することができるので、斜め方向から吹き付ける雪による着雪を防止することができる。
【００２６】
また、前記角度は、２０〜７０度とすることが最も効果的であることが実験によって確認されている。
【００２７】
さらに、前記表示部の上方には、前記表示面に対して前方に傾斜した上方フードが設けられていると、正面から吹き付ける雪による着雪をも防止することができる。
【００２８】
一方、本発明に係る表示装置用着雪防止フードは、面状の表示部の側面に設けられ、表示部の表示面に対して奥側に向かって所定角度傾斜している。よって、側方フードを未装着の表示装置にかかる側方フードを取り付けることによって、斜め方向から吹き付ける雪による着雪を防止することができる。
【００３０】
また、前記角度は、２０〜７０度とすることが最も効果的であることが実験によって確認されている。
【図面の簡単な説明】
【図１】本発明の実施の形態に係る着雪防止表示装置の概略的斜視図である。
【図２】本発明の実施の形態に係る着雪防止表示装置の作用を説明する概略的平面図である。
【図３】発明の実施の形態に係る着雪防止表示装置の作用を説明する概略的側面図である。
【図４】本発明の他の実施の形態に係る着雪防止表示装置の概略的側面図である。
【図５】本発明のその他の実施の形態に係る着雪防止表示装置の概略的側面図である。
【符号の説明】
１００    表示部
１１０    表示面
１２０    側方フード
【図１】
0003629188.tif 000002
【図２】
0003629188.tif 000003
【図３】
0003629188.tif 000004
【図４】
0003629188.tif 000005
【図５】
0003629188.tif 000006